(57)【要約】【課題】 尿量測定トイレ装置において、尿量測定トイレ装置の前後方向の長さを変更することなく、尿量測定トイレ装置の便ふたを開放したときに便ふたの倒れこみを防止すること。【解決手段】尿量測定トイレ装置１においては、キャビネット４の前面４５が下方よりも上方が後方に位置していることで便ふた３１を後傾可能としているため、キャビネット４に対する便ふた３１の回動軸止点３１３を前方に引き離さなくても便ふた３１を自立させることができる。そのため、尿量測定トイレ装置１の前後方向の長さを変更することなく便ふた３１を開放したとき自立状態を維持することができる。【選択図】図１
2017106222.tif 000002
【特許請求の範囲】
【請求項１】
溜水が形成された状態で使用者の排尿を受けるボウル部を有する水洗大便器と、
前記ボウル部の溜水の水位を測定する水位測定手段と、
前記水位測定手段の測定結果に基づいて使用者が排尿した尿量を算出する尿量情報算出手段と、  
前記水洗大便器の後方に設けられ、前記水位測定手段及び尿量情報算出手段を収納するキャビネットと、
前記キャビネットより前方の前記ボウル部の後方の上面に固定され、所定機能部を内蔵した便座ボックスと、
前記便座ボックスに回動自在に軸支された便座および便ふたと、
を、備え
前記便ふたを開放した際に後傾可能となるように、前記便ふたと対面する前記キャビネットの前面は下方よりも上方が後方に位置している尿量測定トイレ装置。
【請求項２】
前記キャビネットの前記前面は、前記便ふたを開放した際にこの便ふたと当接するように下方から上方に向かって上り傾斜している請求項１に記載の尿量測定トイレ装置。
【請求項３】
前記便座ボックスには、前記所定機能部として前記便ふたを開閉駆動する駆動モータが内蔵されており、前記水洗大便器の水洗洗浄時に前記駆動モータを作動して前記便ふたが閉止状態となるように回動する請求項１または請求項２に記載の尿量測定トイレ装置。
【発明の詳細な説明】
【技術分野】
【０００１】
本発明は、水洗大便器と、水位測定手段及び尿量情報算出手段を収納するキャビネットと、を有した尿量測定トイレ装置に関する発明である。
【背景技術】
【０００２】
尿量測定トイレ装置は主に病院などで患者の健康状態を把握するため使用される。そのため、患者が便ふたを開ける動作による、負担を軽減することや転倒を防止する目的で、一般的には尿量測定トイレ装置に便ふたは取り付けられていなかった。（例えば、特許文献１）
【先行技術文献】
【特許文献】
【０００３】
【特許文献１】特開２００８−２４８５５６号公報
【発明の概要】
【発明が解決しようとする課題】
【０００４】
しかしながら、近年、洗浄時における汚物飛散防止のため尿量測定トイレ装置においても便ふたが求められる場合がある。尿量測定トイレ装置に便ふたを設けようとした場合、大便器の後方に設置された尿量情報算出手段などを収納するキャビネットにより便ふたが直立乃至は前傾状態までしか開放できず、便ふたを安定して自立させることができないため、使用中に便ふたが倒れてしまう虞があった。
この便ふたの倒れこみを防止するために、便ふたの回動の支点位置を前（キャビネットから離れる位置）にすることで、便ふたを開放した際に便ふたを後傾することが考えられる。しかし、そのためにはキャビネットに対して便ふたを支持する大便器を前方へ引き離して設置する必要があり、尿量測定トイレ装置としての前後方向の長さが長くなってしまう。すると、トイレルームにおける尿量測定トイレ装置の前方空間が圧迫されてしまい、車椅子などを利用している使用者が尿量測定トイレ装置を利用する際の妨げとなる虞があった。
【０００５】
そこで、本発明は、前記課題を解決するためになされたものであり、尿量測定トイレ装置の前後方向の長さを変更することなく、尿量測定トイレ装置の便ふたを開放したときに便ふたの倒れこみを防止することを目的としている。
【課題を解決するための手段】
【０００６】
この尿量測定トイレ装置においては、キャビネットの前面が下方よりも上方が後方に位置していることで便ふたを後傾可能としているため、キャビネットに対する便ふたの回動軸支点を前方に引き離さなくても便ふたを自立させることができる。そのため、尿量測定トイレ装置の前後方向の長さを変更することなく便ふたを開放したとき自立状態を維持することができる。
【０００７】
また、本発明の尿量測定トイレ装置において好ましくは、前記キャビネットの前記前面は、前記便ふたを開放した際にこの便ふたと当接するように下方から上方に向かって上り傾斜している。
従って、使用者が体を仰け反って便ふたに凭れた際に、便ふたとキャビネット前面とが傾斜に沿って広く当接するため、便ふたの回動の軸支点に作用する力を減少させることができ、便ふたが破損したり外れたりすることを防止可能である。
【０００８】
また、本発明の尿量測定トイレ装置において好ましくは、前記便座ボックスには、機能部として前記便ふたを開閉駆動する駆動モータが内蔵されており、前記水洗大便器の水洗洗浄時に前記駆動モータを作動して前記便ふたが閉止状態となるように回動する。
従って、水洗大便器の水洗洗浄時に便ふたが自動で閉止状態となり、便ふたの閉め忘れによる洗浄時の汚物飛散を防止することができる。
【発明の効果】
【０００９】
本発明によれば、尿量測定トイレ装置の前後方向の長さを変更することなく、便ふたを開放したとき自立状態を維持することができる。
【図面の簡単な説明】
【００１０】
【図１】本発明の実施形態における尿量測定トイレ装置全体を示す斜視図である。
【図２】本発明の実施形態における機能ブロック図である。
【図３】本発明の実施形態における尿量測定トイレ装置全体を示す側面図である。
【図４】本発明の実施形態の変形例における尿量測定トイレ装置全体を示す側面図である。
【発明を実施するための形態】
【００１１】
以下に本発明の実施形態における尿量測定トイレ装置について説明する。図１は本発明の実施形態における尿量測定トイレ装置全体を示す斜視図である。始めにこの図１を使用して、尿量測定トイレ装置１の全体構成について説明する。
【００１２】
図１に示すように、本実施形態における尿量測定トイレ装置１は、外部から供給される洗浄水によって排泄物などを水洗可能な水洗大便器２と、水洗大便器２の後部上面（ボウル部２１の後方上面）に載置して固定された便座ボックス３と、水洗大便器２の後方であって、この水洗大便器２の後部および便座ボックス３の後部を含めて覆うように設置されたキャビネット４とで構成されている。
【００１３】
水洗大便器２は陶器製もしくは樹脂製であり、溜水が形成された状態で使用者の排泄物を受けるボウル部２１を有している。便座ボックス３は後述する機能部を内蔵した樹脂製のケーシングを有しており、ボウル部２１の後部の上面に固定されている。また、便座ボックス３には樹脂製の便座３０および便ふた３１が回動自在に取り付けられている。本実施形態では、便ふた３１は便ふた本体３１１と、この便ふた本体３１１の外縁部から下方に突出する外周壁３１２から構成されている。
【００１４】
便座ボックス３に便ふた３１を設けることにより、洗浄時において便ふた３１を閉止状態に移動させることで、便ふた３１がボウル部２１を覆うカバーの役目を果たし汚物の飛散を防止することができる。
なお、本願明細書においては、便座３０に座った使用者から見て前方を「前方」とし、
便座３０に座った使用者から見て後方を「後方」とする。また、後方を向いて水洗大便器２の前に立った使用者から見て右側を「右側方」とし、左側を「左側方」とする。
【００１５】
次に、本発明の実施形態に係わる尿量測定トイレ装置１の内部構成について説明する。図２は本発明の実施形態における機能ブロック図である。この図２に示すように、尿量測定トイレ装置１として機能的には、水洗大便器２と便座ボックス３に内蔵された機能部とから構成された便器ユニット２０と、この便器ユニット２０における水洗大便器２のボウル部２１に形成された溜水２３と導水管路２６を介して接続され、キャビネット４内の収納されている測定ユニット４０とによって構成されている。
【００１６】
便座ボックス３は所定機能部として用足し後にノズル（図示しない）より洗浄水を人体局部に向けて噴出する局部洗浄装置３２１が設けられている。また、便ふた３１を開閉駆動する駆動モータ３２２と、水洗大便器２に洗浄水を供給するための給水手段３２３が内蔵されている。これら局部洗浄装置３２１、駆動モータ３２２および給水手段３２３の動作はマイコンによって構成されている便器側制御部３２によって制御される。
【００１７】
便器側制御部３２はリモコン（図示しない）からの操作信号を受信可能となっており、使用者が用便後にリモコンによって便器洗浄を指示すると、給水手段３２３を制御して水洗大便器２へ洗浄水を供給して水洗大便器２の洗浄を実行する。なお、この水洗大便器２の洗浄時に給水手段３２３の動作に先立って駆動モータ３２２を作動して、便ふた３１が閉止状態となるように回動する。このように便器側制御部３２によって、給水手段３２３の駆動時に便ふた３１が閉止状態となるように制御することで、水洗大便器２の洗浄時に汚物交じりの洗浄水がボウル部２１から飛散してしまうことを抑制することが可能となる。
【００１８】
次に、水洗大便器２の機能として水が流れる流路の構成について説明する。水洗大便器２は、ボウル部２１とこのボウル部２１の底部に連通してボウル部２１の下部に溜水２３を形成するためのトラップ管路２２とから構成されている。トラップ管路２２は、ボウル部２１の底部から斜め上方に延びる上昇管路（図示しない）と、この上昇管路から鉛直下方に延びる下降管路（図示しない）とから形成されており、ボウル部２１の下部には、上昇管路と下降管路との屈曲点底面となる堰部の高さ位置（以下、溢流位置と呼ぶ）を上限とした溜水２３が形成される。このようにして形成された溜水２３により、排水配管１１の内部で発生した悪臭や衛生害虫などがボウル部２１内に侵入することを防止する。
また、トラップ管路２２の下流端となる下降管路の下端には、樹脂製の排水ソケット１０が取り付けられ、排水ソケット１０を介して建物の排水配管１１と連通されている。
【００１９】
次に、水洗大便器２の洗浄時における水の流れを説明する。水洗大便器２の洗浄時において、給水源（図示しない）から供給された水は、給水手段３２３を介してボウル部２１に固定されているリム吐水ノズル２４とゼット吐水ノズル２５へと供給される。ここで、リム吐水ノズル２４からの吐水は、ボウル部２１の上縁周りに略水平状態の旋回流を形成し、ゼット吐水ノズル２５からの吐水は、ボウル部２１の下部に形成された溜水２３中に吐水され、この溜水２３をトラップ管路２２の上昇管路に向かう方向へ排出する。
給水源からの給水された水は、リム吐水ノズル２４またはゼット吐水ノズル２５を介し、水洗大便器２のボウル部２１に供給される。
具体的には、給水手段３２３はリム吐水ノズル２４とゼット吐水ノズル２５とに向かう洗浄水を独立して制御可能となっており、洗浄開始初期にリム吐水ノズル２４から吐水させてボウル部２１の内部の排泄物などを溜水２３へ落下させ、その後にゼット吐水ノズル２５から吐水させて排泄物交じりの溜水２３を排水配管１１へと排出させ、最後に再びリム吐水ノズル２４から吐水（以下、後リム吐水と呼ぶ）してボウル部２１の下部に溜水を形成する。なお、本実施形態における水洗大便器２においては、測定ユニット４０にてボウル部２１に排泄された小便の尿量を測定するために、ボウル部２１に形成される溜水２３の高さ位置としては溢流位置よりも低く、トラップ管路２２の上流端が露出しない測定開始水位となるように、後リム吐水におけるリム吐水ノズル２４から供給される洗浄水量が制御される。なお、この測定開始水位としては、一般的な成人が小便を排泄しても溢流位置を越えない位置に制御される。
【００２０】
次に、キャビネット４の内部に収納されている測定ユニット４０について説明する。この測定ユニット４０としては、溜水２３と導水管路２６によって連結されており、溜水２３の水位変化を計測する水位測定手段４１と、水位測定手段４１の動作制御やその測定結果を加工して尿量等の測定情報の算出等を行う尿量情報算出手段４２と、を備えている。
【００２１】
水位測定手段４１は、例えばキャビネット４内部において鉛直に立ち上がる導水管路２６に設けられた圧力センサを用いて構成される。圧力センサは、溜水２３の水位によって生じる圧力（水頭圧）を溜水圧として計測可能である。
一方、尿量情報算出手段４２は、マイコンによって構成された尿量計測制御部４３と、不揮発性メモリ（ＥＥＰＲＯＭ）によって構成され、ボウル部２１の形状に依存する溜水圧と溜水量との関係を検量線として記憶している検量関係記憶部４４とを有している。
尿量計測制御部４３では、内蔵されているプログラムによって次のような処理を実行する。まず、使用者からの測定開始指示に基づいて水位測定手段４１によって溜水圧を測定し、その測定値を検量関係記憶部４４に記憶されている検量線に当てはめて、使用者が排泄する前の排尿前溜水量として処理（ＲＡＭに記憶）する。その後、使用者が排泄終了した後の溜水圧を測定して、その測定値を検量関係記憶部４４に記憶されている検量線に当てはめて、使用者が排尿完了した後の排尿後溜水量として処理（ＲＡＭに記憶）する。そして、排尿前溜水量と排尿後溜水量との差分を求め、その差分値を使用者による排尿量として算出する。
【００２２】
なお、尿量計測制御部４３には、上述した使用者による排尿量の測定だけでなく、測定開始後における単位時間ごとの溜水圧を水位測定手段４１によって測定し、その測定結果を検量線に当てはめて溜水量の変化を算出するプログラムを有してもよい。このようにして算出された溜水量の変化は、使用者による単位時間あたりの排尿量を示す値であるため、使用者による排泄速度を表すデータとして利用可能である。
これら、排尿量や排尿速度の算出値は、図示しない表示部に表示されると共に、尿量計測制御部４３に記憶される。そして、この記憶された算出値は、有線又は無線通信手段を利用して管理センターなどに送信できるようになっている。
【００２３】
検量関係記憶部４４に記憶されている溜水圧と溜水量との関係を検量線は、予め記憶されているものを用いることもできるが、個別に書き換え可能とすることが好ましい。これは、特に水洗大便器２が陶器製である場合には、ボウル部２１の形状が水洗大便器２ごとに異なり、溜水水位と溜水量との関係にもばらつきが発生するためである。書き換え可能とするためには、尿量測定トイレ装置１の施工後に、ボウル部２１に一定量の水の投入と水位測定手段による溜水圧の測定を繰り返して、溜水圧と溜水量との多点データを算出し、この多点データの近似式として検量線を求めて検量関係記憶部４４に記憶させることで対応できる。また、この検量線は、測定ユニット４０内部に定量給水ポンプを内蔵しておき、定期的な書き換えを実施するようにすることも可能である。
【００２４】
次に、尿量測定トイレ装置１におけるキャビネット４の形状について説明する。図３は本発明を適用した尿量測定トイレ装置の側面図である。
【００２５】
図３においては、便座３０は水洗大便器２の上に載った略水平状態（閉止状態）であり、便ふた３１は上方に持ち上げられて後方に向けて回動された開放状態を示している。キャビネット４は内部に測定ユニット４０などが収納された箱形であるが、その前方の面であって、便ふた３１の開放状態において便ふた本体３１１と対面する前面４５には段部４５１を有する。即ち、キャビネット４の前面４５は、便ふた３１が軸支されている便座ボックス３の上面と同じ高さまでの下方に比べ、該下方より上方の面が後方となるように、略水平方向に延びた段部４５１が形成されている。
【００２６】
便ふた３１の開放状態における上方端はキャビネット４の上端よりも上方に延びており、また、便ふた３１の便座ボックス３における軸支点３１３はキャビネット４の前面４５よりも前方に位置している。そのため、便ふた３１の開放状態においては便ふた本体３１１はキャビネット４の前面４５の上端に最も近接するが、その最も近接する前面４５の上端は軸支点３１３と同一高さにおける前面４５と比べ、段部４５１の前後方向の長さ分だけ後方に位置している。従って、便ふた３１の便ふた本体３１１は鉛直よりも後方に傾いた後傾可能となっているため、キャビネット４に対する便ふた３１の軸支点３１３を前方に引き離さなくても便ふた３１を自立させることができる。そのため、尿量測定トイレ装置１の前後方向の長さを長くすることなく便ふた３１を開放したとき自立状態を維持することができる。
【００２７】
なお、図３ではキャビネット４の前面４５に１つの段部４５１を形成しているが、段部４５１は１つでなくてもよく複数の段部を形成することも可能である。
【００２８】
次に、図３で説明した尿量測定トイレ装置１の変形例について説明する。図４は本発明の実施形態の変形例である。この図４に示す尿量測定トイレ装置１においては、図３と比べてキャビネット４の前面４５に段部４５１がなく、下方から上方に向かって上り傾斜した傾斜面４５２となっている点が異なる。
なお、図４ではキャビネット４の前面４５が平坦で上り傾斜しているが、曲面形状に上り傾斜していてもよい。
【００２９】
この図４に説明した尿量測定トイレ装置１においても、便ふた３１の開放状態における上方端はキャビネット４の上端よりも上方に延びており、また、便ふた３１の便座ボックス３における軸支点３１３はキャビネット４の前面４５よりも前方に位置している。そのため、便ふた３１の開放状態においては便ふた本体３１１はキャビネット４の前面４５の上端に最も近接するが、その最も近接する前面４５の上端は軸支点３１３と同一高さにおける前面４５と比べ、傾斜面４５２によって前面４５の上端が後方に位置している。従って、便ふた３１の便ふた本体３１１は鉛直よりも後方に傾いた後傾可能となっているため、キャビネット４に対する便ふた３１の軸支点３１３を前方に引き離さなくても便ふた３１を自立させることができる。そのため、尿量測定トイレ装置１の前後方向の長さを長くすることなく便ふた３１を開放したとき自立状態を維持することができる。
【００３０】
特に、図４に示した傾斜面４５２を有した場合には、使用者が体を仰け反って便ふた３１に凭れた際に、便ふた本体３１１とキャビネット４の前面４５とが傾斜面４５２に沿って広く当接するため、便ふた３１の回動の軸支点３１３に作用する力を減少させることができ、便ふた３１の軸支点３１３近傍に応力集中して破損したり外れたりすることを防止可能である。
【符号の説明】
【００３１】
１…尿量測定トイレ装置
１０…排水ソケット
１１…排水配管
２…水洗大便器
２０…便器ユニット
２１…ボウル部
２２…トラップ管路
２３…溜水
２４…リム吐水ノズル
２５…ゼット吐水ノズル
２６…導水管路
３…便座ボックス
３０…便座
３１…便ふた
３１１…便ふた本体
３１２…外周壁
３１３…軸支点
３２…便器側制御部
３２１…局部洗浄装置
３２２…駆動モータ
３２３…給水手段
４…キャビネット
４０…測定ユニット
４１…水位測定手段
４２…尿量情報算出手段
４３…尿量計測制御部
４４…検量関係記憶部
４５…前面
４５１…段部
４５２…傾斜面
【図１】
2017106222.tif 000003
【図２】
2017106222.tif 000004
【図３】
2017106222.tif 000005
【図４】
2017106222.tif 000006